(57)【要約】【課題】  立ち姿勢で使用でき、スペースをとらず、膝に負担をかけず、混雑でも安心して使える杖兼椅子を提供。【解決手段】  握柄１がついた杖幹２；ノッチ３ａ〜３ｄが長手方向ｚに分布し、ノッチ配列より上方にガイド面４がある支持板５；ノッチ配列の下端からガイド面に及ぶ長さで、下端部にはノッチに嵌り込むピン６があり、上端部がガイド面でｚ方向に移動が案内される座高調整台９；該調整台を杖幹に対してｚ方向に移動可に、しかもピン６をノッチに対して挿脱可に支持する連結部材１０，１１；立ち姿勢の使用者のお尻を支える尻当て１２；および、座高調整台の上端にあって、尻当て１２を回動可に支持しかつ、尻当てが杖幹と平行となる退避位置と、杖幹と直交する水平角度よりも上向き傾斜の上向尻受け位置で、尻当てを固定可であるヒンジ１４；を備える。【選択図】  図１
2012231874.tif 000002
【特許請求の範囲】
【請求項１】
先端部に握柄がついた杖幹；
該杖幹で支持されて該杖幹の長手方向に上下動可であって、該杖幹に固定することができる座高調整手段;
股間に前記杖幹を挟むように跨ぐ立ち姿勢の使用者のお尻を支えるための尻当て；および、
前記座高調整手段で支持され、前記尻当てを回動可に支持しかつ、前記尻当てが前記杖幹と平行又は略平行となる退避位置と、前記杖幹と直交する水平角度よりも上向き傾斜の上向尻受け位置で、前記尻当てを固定可であるヒンジ；
を備える杖兼椅子。
【請求項２】
前記座高調整手段は、前記杖幹の長手方向に長く、複数の上向きノッチが該長手方向に分布し、これらのノッチの配列より長手方向で上方に該方向に延びるガイド面がある、前記杖幹と一体の支持板；前記ノッチの配列の下端から前記ガイド面に及ぶ長さがあって、下端部には１つのノッチに嵌り込むピンがあり、上端部が前記ガイド面で前記長手方向に移動が案内される座高調整台；および、該座高調整台を前記杖幹に対して前記長手方向に移動可に、しかも前記ピンをノッチに対して挿脱可に支持する連結部材；を含む、請求項１に記載の杖兼椅子。
【請求項３】
前記杖幹は、一方が他方の内部に進入する上部幹ならびに下部幹および両者を相対的に固定，解放する結合具を含み；前記支持板は前記下部幹と一体である；請求項２に記載の杖兼椅子。
【請求項４】
さらに、前記座高調整手段で支持され、前記尻当てを回動可に支持しかつ、前記尻当てが前記杖幹と平行又は略平行となる退避位置と、前記杖幹と直交する水平角度よりも上向き傾斜の上向尻受け位置で、前記尻当てを固定可であるヒンジ；を備える請求項１乃至３のいずれか１つに記載の杖兼椅子。
【請求項５】
前記ヒンジはさらに、前記杖幹と直交する水平角度よりも下向き傾斜の下向尻受け位置で、前記尻当てを固定可である；請求項４に記載の杖兼椅子。
【請求項６】
前記ヒンジは前記尻当てを、前記杖幹に対して０°から１２０°まで回動可、かつ、０°と、８０°〜５０°の範囲内の任意の角度と、さらに、１００°〜１２０°の範囲内の任意の角度で停止可に支持する；請求項４又は５に記載の杖兼椅子。
【発明の詳細な説明】
【技術分野】
【０００１】
本発明は、膝を折って座るのはなく、殆ど立った状態で体重を乗せられる立ち椅子として使用できる杖に関する。
【背景技術】
【０００２】
従来の杖兼椅子は膝を折って座るタイプであり、座った際の杖の接地部分は両足の踵から爪先間の面積範囲から外れる構造になっている。このような構造では大勢で混み合う場所、例えば水族館、動物園等で見学、電車内等ではスペースを取るために使用できない。また、高齢者の場合は膝を曲げて座ると立ち上がるときに膝に負担がかかる。
【０００３】
例えば、特許文献１に記載の杖兼椅子は、略Ｌ字状の握柄を頭部に備えた杖状の第１脚に、短い第２脚をＸ形で開閉するように連結し、第２脚の頭部にヒンジで腰掛を、水平から垂直に回動するように装着し、その先端部を、第１脚にスライド可に装着した筒体にヒンジ結合して、第１脚に対して第２脚を閉じる畳み姿勢では、腰掛を第１脚に略平行に沿う姿勢にして筒体を第１脚に係止する。この構造では、第１脚に対して第２脚を開いた椅子使用状態では、腰掛が水平になるので、使用者が立ち姿勢でお尻を腰掛で支えようとすると、股下部分が椅子に当たり痛くなる。また、脚部に広がりがあるので両足間の間には納まらない。したがって使用者は、膝を折って座らなければならない。
【０００４】
特許文献２に記載の腰掛ステッキも、特許文献１に記載の杖兼椅子と同様に、Ｔ字状の握柄を頭部に備えた杖状の第１脚に、短い第２脚をＸ形で開閉するように連結し、第２脚の頭部にヒンジで腰掛の前端を、水平から垂直に回動するように装着し、腰掛の後端部を、第１脚にスライド可の筒体に装着して、第１脚に対して第２脚を閉じる畳み姿勢では、腰掛を第１脚に略平行に沿う姿勢にして筒体を第１脚に係止する。この構造でも、第１脚に対して第２脚を開いた椅子使用状態では、腰掛が水平になるので、立ち姿勢でお尻を腰掛で支えることは出来ない。
【先行技術文献】
【特許文献】
【０００５】
【特許文献１】特開２００７−２０９５９０号公報
【特許文献２】特開２００４−１２１７７１号公報
【発明の概要】
【発明が解決しようとする課題】
【０００６】
本発明は立ち姿勢で使用でき、使用スペースをとらず、膝が心配の人も、混雑した場所でも安心して使える杖兼椅子を提供することを目的とする。
【課題を解決するための手段】
【０００７】
（１）先端部に握柄(1)がついた杖幹(2)；
該杖幹(2)で支持されて該杖幹(2)の長手方向(z)に上下動可であって、該杖幹(2)に固定することができる座高調整手段(3〜11);および、
該座高調整手段(3〜11)で支持され、股間に前記杖幹(2)を挟むように跨ぐ立ち姿勢の使用者のお尻を支えるための尻当て(12)；
を備える杖兼椅子。
【発明の効果】
【０００８】
これによれば、図４に示すように、杖幹(2)の下端（接地部），握柄(1)および尻当て(12)の位置が両足の爪先から踵間の面積内に納まるため、自分の立つ位置よりも外側にスペースをとらず、混雑した場所でも安心して使える。杖の前方への傾斜角度がわずかであるので、杖幹(2)の接地が安定する。膝を折って座るのではなく、殆ど立った状態で長時間体重を乗せても股下が痛くならず、膝の悪い人でも安心して座れる。膝を少し折った状態なので万一接地部が滑っても転倒することはない。荷物がある場合は握柄(1)にかけられる。また、尻当て(12)を簡単に折りたため、杖として使用できる。座高調整手段(3〜11)で上下位置調整をすることにより、身長に合わせて尻当て(12)の高さを調整できる。
【図面の簡単な説明】
【０００９】
【図１】本発明の一実施例の外観を示し、（ａ）は正面図、（ｂ）は右側面図である。
【図２】図１に示す杖兼椅子の一部を拡大して示し、（ａ）は下部幹２ｂに対して上部幹２ａを固定しあるいは開放する固定具１５〜１８の正面を示し、（ｂ）は（ａ）の右側面を示し、（ｃ）は（ａ）上のIIＣ−IIＣ線断面を示す。
【図３】図１に示す杖兼椅子の横断面を拡大して示し、（ａ）は図１上のIIIＡ−IIIＡ線断面拡大図、（ｂ）は図１上のIIIＢ−IIIＢ線断面拡大図である。
【図４】図１に示す杖兼椅子の、股間に前記杖幹２を挟むように跨ぐ立ち姿勢での使用時の姿勢を示し、（ａ）は正面図、（ｂ）は右側面図である。
【図５】図１に示す杖兼椅子の、横向き立ち着座姿勢での使用状態を示し、（ａ）は正面図、（ｂ）は右側面図である。
【発明を実施するための形態】
【００１０】
（２）前記座高調整手段(3〜11)は、前記杖幹の長手方向(z)に長く、複数の上向きノッチ(3a〜3d)が該長手方向(z)に分布し、これらのノッチの配列より長手方向(z)で上方に該方向(z)に延びるガイド面(4)がある、前記杖幹(2の2b)と一体の支持板(5)；前記ノッチの配列の下端から前記ガイド面(4)に及ぶ長さがあって、下端部には１つのノッチに嵌り込むピン(6)があり、上端部が前記ガイド面(4)で前記長手方向(z)に移動が案内される座高調整台(9)；および、該座高調整台(9)を前記杖幹(2)に対して前記長手方向(z)に移動可に、しかも前記ピン(6)をノッチに対して挿脱可に支持する連結部材(10,11)；を含む、上記（１）に記載の杖兼椅子。
【００１１】
（３）前記杖幹(2)は、一方が他方の内部に進入する上部幹(2a)ならびに下部幹(2b)および両者を相対的に固定，解放する結合具(15)を含み；前記支持板(5)は前記下部幹(2b)と一体である；上記（１）又は（２）に記載の杖兼椅子。これによれば、身長に合わせて杖幹(2)を伸縮調整できる。
【００１２】
（４）さらに、前記座高調整手段(3〜11)で支持され、前記尻当て(12)を回動可に支持しかつ、前記尻当て(12)が前記杖幹(2)と平行又は略平行となる退避位置と、前記杖幹(2)と直交する水平角度よりも上向き傾斜(杖幹2aに対してθ＝80°〜50°)の上向尻受け位置で、前記尻当て(12)を固定可であるヒンジ(14)；を備える上記（１）乃至（３）のいずれか１つに記載の杖兼椅子。
【００１３】
これによれば、股間に前記杖幹(2)を挟むように跨ぐ立ち姿勢での使用時に、胸の前で握柄(1)を手で持つ（図４）ことができ、尻当て(12)に安定して座れる。
【００１４】
（５）前記ヒンジ(14)はさらに、前記杖幹(2)と直交する水平角度よりも下向き傾斜(杖幹2aに対してθ＝100°〜120°)の下向尻受け位置で、前記尻当て(12)を固定可である；上記（４）に記載の杖兼椅子。これによれば、握柄(1)を脇の下に入れて腕で挟むことができる（図５）。
【００１５】
（６）前記ヒンジ(14)は前記尻当て(12)を、前記杖幹(2の上杖幹2a)に対して０°から１２０°まで回動可、かつ、０°と、８０°〜５０°の範囲内の任意の角度と、さらに、１００°〜１２０°の範囲内の任意の角度で停止可に支持する；上記（４）又は（５）に記載の杖兼椅子。これによれば、股間に前記杖幹(2)を挟むように跨ぐ立ち姿勢（図４）で使用することができ、また、握柄(1)を脇の下に入れて腕で挟む横座り姿勢（図５）でも使用することができる。
【００１６】
本発明の他の目的および特徴は、図面を参照した以下の実施例の説明より明らかになろう。
【実施例】
【００１７】
図１に、本発明の一実施例の外観を示す。先端にＴ字型の握柄１がある上杖幹２ａの下端は、下端に石突（接地部）がある下杖幹２ｂの上端からその内部に挿入されており、上杖幹２ａは結合具１５で、下杖幹２ｂに締め付け固定されている。
【００１８】
図２に、結合具１５の部分を拡大して示す。下杖幹２ｂの上端には、長方形の平板の中央部を円筒状に曲げて両端部を円筒から突き出して略平行にした結合具１５が固着されている。下杖幹２ｂの上端部には、その長手方向ｚに延びるスリット２ｃ，２ｄが刻まれており、これらにより下杖幹２ｂの上端部は、半径方向に伸縮できる。結合具１５の、円筒部から突出する両端部をボルト１６が貫通している。ボルト１６の頭部は、溶接により該両端部の一方に固定されている。ボルト１６の、該両端部を貫通した雄ねじの先端部には、ナット１７が螺合しており、このナット１７に、レバー１８の一端が溶接により固着されている。
【００１９】
レバー１８を、図２の（ａ）に示す実線位置から２点鎖線位置に、反時計方向に廻すと、ナット１７による結合具１５の両端部の締め付けが緩み、これにより下杖幹２ｂによる上杖幹２ａの圧搾（挟持）が解除されて、下杖幹２ｂに対して上杖幹２ａが、長手方向ｚに移動することができる。杖幹２（２ａ＋２ｂ）の長さを所望値にするように上杖幹２ａを下杖幹２ｂから引き出し又は押し込んでから、レバー１８を、図２の（ａ）に示す２点鎖線位置から実線位置に、時計方向に廻すと、ナット１７により結合具１５の両端部が締め付けられ、これにより下杖幹２ｂにより上杖幹２ａが圧搾されて、下杖幹２ｂに対して上杖幹２ａが固定される。
【００２０】
図１を再度参照する。下杖幹２ｂには、下半分に上向きノッチ３ａ〜３ｄがあり上半分は平板状の支持板５が固着されており、この支持板５は、下杖幹２ｂと平行であり、長手方向ｚに延びている。上向きノッチ３ａ〜３ｄは長手方向ｚに分布し、これらのノッチの配列より長手方向ｚで上方に、該方向に延びるガイド面４がある。下杖幹２ｂには座高調整台９が装着されている。この座高調整台９は、ノッチ３ａ〜３ｄの配列の下端から支持板５のガイド面４に及ぶ長さがあって、下端部には１つのノッチに嵌り込むピン６を固着した下スライド板７が、上端部にはガイド面４で長手方向ｚに移動が案内される上スライド板８がある。下スライド板７の部位に下連結部材１０があり、上スライド板８の部位に上連結部材１１がある。
【００２１】
図３の（ａ）には、上連結部材１１の横断面を拡大して示し、図３の（ｂ）には、下連結部材１０の横断面を拡大して示す。上連結部材１１は、長円リング状であって、その内側に座高調整台９，上スライド板８および下杖幹２ｂがあり、上スライド板８は座高調整台９に固着されている。下連結部材１０も、長円リング状であって、その内側に座高調整台９，下スライド板７，ピン６および下杖幹２ｂがあり、下スライド板７は座高調整台９に固着されている。ピン６は下スライド板７に固着されている。
【００２２】
座高調整台９の高さ（尻当て１２の高さ）を調整するときには、下連結部材１０をｙ方向に押す。すなわち、ｙ方向に広幅の空間１０ａを縮める方向に、ピン６がノッチ３ｃの外に出るまで押す。これは、図１の（ａ）において、座高調整台９の上端を中心に下端を時計方向に廻す回動である。この回動を可能とするために、下連結部材１０はｙ方向に長くして広い空間１０ａを形成している。また、該回動を容易にするために上連結部材１１にも少々の空間１１ａを開けている。該回動をしてピン６をノッチ３ｃの外に外して座高調整台９を下又は上にずらして、ピン６が別のノッチに対向する位置で、座高調整台９を逆方向（反時計方向）に回動することにより、ピン６が他のノッチに嵌まり込み、座高調整台９の高さ（尻当て１２の高さ）調整が終わる。ノッチ３ａ〜３ｄは上向き傾斜しているので、単に座高調整台９を所望位置の少し上まで上スライドさせることにより、ピン６がノッチから外れ、そして少し下にスライドするとピンがノッチに嵌まり込み、座高調整台９が杖幹２の所望位置で支持される。単に座高調整台９を上げてスライドさせ、所定の位置で下げるだけで容易に、短時間で尻当て１２の高さ調整が可能である。
【００２３】
図１を再度参照する。座高調整台９の上端にはヒンジ１４が固定されている。このヒンジ１４は、座台相当の尻当て１２に一体の回動アーム１３を、図１紙面に垂直な軸を中心に回動可に支持するとともに、この実施例のヒンジ１４には、尻当て１２を杖幹２に平行な角度θ＝０°（退避姿勢）で軽く保持するラッチ機構および回動アームの先端のヒンジ棒を第１軸位置において回動アーム１３をθ＝７５°（跨ぎ立ち姿勢用）で下支え（ロック）する溝、ならびに、該ヒンジ棒を第２軸位置にずらして回動アーム１３をθ＝１０５°(横座り立ち姿勢用)で下支え（ロック）する溝、がある。
【００２４】
図４に、図１に示す杖兼椅子を、股間に跨いで立ち姿勢で使用する態様を示す。杖幹２の最下端の石突は、両足の間にあって足の爪先と踵との間にある。握柄１と使用者の膝はほぼ足の爪先の上部にある。したがって杖兼椅子は使用する人の両足間の面積からはみ出さないので、混雑している場所でも他人の迷惑にならない。
【００２５】
図５には、図１に示す杖兼椅子を、横座りする形で使用する態様を示す。女性の場合は横座りの方が便利である。この場合も石突は両足の間にあり、杖は使用する体の内側になるので他人の迷惑にならない。
【００２６】
図１に示す杖兼椅子を杖として使用する場合は、尻当て１２を上杖幹２ａの側に倒す（折りたたみ）。握柄１の高さは杖として使いやすい高さに結合具１５を使用して調整する。
【００２７】
なお、本発明の杖兼椅子は、軽量が使いやすいので材質はアルミ合金あるいはチタンが望ましい。下杖幹２ｂ，上杖幹２ａ，座高調整台９および回動アーム１３は、軽量化と強度アップのため、管形状が望ましい。握柄１は、手に優しい樹脂，ゴムが使用できる。尻当て１２はチタン，アルミ合金，樹脂，ゴムが使用できる。石突は滑りにくい樹脂又はゴムが望ましい。
【００２８】
なお、杖としての高さ調整が必要ない場合は、下杖幹２ｂと上杖幹２ａを一体化して一本にした方が経済的であり、軽量化できる。また、握柄１はＴ字型が両手で保持できるので安定上望ましいが、Ｌ字型でも問題ない。また、握柄１に図に無い紐をつけておき、身体に縛ると安定性が増し、手をはなすことができて便利である。座高調整台９を下杖幹２ｂに沿ってスライドさせて任意の高さに固定する構造は、ヒンジ１６に図２に示す結合具１５と同様な、座高調整結合具を固着し、この座高調整結合具に下杖幹２ｂを通して、座高調整結合具を下杖幹２ｂに対して上下動可としかつ締め付け固定により任意の高さで下杖幹２ｂに固定する構造としてもよい。
【００２９】
図１に示す杖兼椅子を、股間に跨いで立ち姿勢で使用する態様（図４）では、尻当て１２（に一体の回動アーム１３）と杖幹２との角度θ（θ１）は８０°〜５０°に、跨らない横座りの態様（図５）では、角度θ（θ２）を１００°〜１２０°にするのが好ましく、上述の実施例では、θ１＝７５°、θ２＝１０５°としている。しかし、回動アーム１３を、θ＝０°から１２０°の範囲で連続回転可に支持し、しかも０°と、８０°〜５０°の範囲内の任意の角度と、さらに、１００°〜１２０°の範囲内の任意の角度でロック（固定）できる構造とするのも良い。このようにすると、上述のように、杖兼椅子が使用者の両足間の外にはみ出すことなく、混雑している場所でも他人の迷惑にならない。
【符号の説明】
【００３０】
１：握柄
２：杖幹
２ａ：上杖幹
２ｂ：下杖幹
３ａ〜３ｄ：ノッチ
４：ガイド面
５：支持板
６：ピン
７：下スライド板
８：上スライド板
９：座高調整台
１０：下連結部材
１１：上連結部材
１２：尻当て
１３：回動アーム
１４：ヒンジ
１５：結合具
１６：ボルト
１７：ナット
１８：レバー
【図１】
2012231874.tif 000003
【図２】
2012231874.tif 000004
【図３】
2012231874.tif 000005
【図４】
2012231874.tif 000006
【図５】
2012231874.tif 000007